(57)【特許請求の範囲】
【請求項１】
帯域確保型のＩＰネットワークに接続された相手先装置に、読み取られた原稿の画像データが圧縮率がそれぞれ異なる複数の符号化方式のうち１つの符号化方式によって符号化された符号化画像データを、前記ＩＰネットワークを介してファクシミリ送信するファクシミリ装置であって、
原稿を読み取る読取部と、
前記ＩＰネットワークに接続され、ファクシミリ送信する通信部と、
操作部と、
記憶部と、
ＣＰＵと、
を備え、
前記記憶部には、前記複数の符号化方式のうち１つの符号化方式と相手先装置に対応する相手先情報とが、予め関連付けられて記憶され、
前記ＣＰＵは、
前記読取部を用いて前記原稿を読み取らせる読取処理と、
前記操作部によって入力された相手先情報が、前記記憶部に記憶されている相手先情報か否かを判断する判断処理と、
前記判断処理によって前記記憶部に記憶されている相手先情報でない場合、前記読取処理で読み取られた原稿の画像データが前記複数の符号化方式のうち最も圧縮率が低い第一種の符号化方式によって符号化された第一種の符号化画像データを生成し、前記記憶部に記憶する、第１符号化画像データ生成処理と、
前記第１符号化画像データ生成処理後、前記通信部を通信速度が前記ＩＰネットワークにおける複数の通信帯域のうち最も高速である通信帯域に設定し、前記第１符号化画像データ生成処理にて記憶された前記第一種の符号化画像データを、前記入力された相手先情報に対応する相手先装置に対して、前記通信部を用いてファクシミリ送信する第１ファクシミリ送信処理と、
を実行する、ファクシミリ装置。
【請求項２】
請求項１に記載のファクシミリ装置であって、
前記ＣＰＵは、
更に、
前記判断処理によって前記記憶部に記憶されている相手先情報である場合、前記読取処理で読み取られた原稿の画像データが前記記憶部に記憶された前記操作部によって入力された相手先情報に関連付けられた符号化方式によって符号化された符号化画像データを生成し、前記記憶部に記憶する、第２符号化画像データ生成処理と、
前記第２符号化画像データ生成処理後、前記入力された相手先情報に対応する相手先装置から該相手先装置の符号化方式を含む受信機能力情報を前記通信部を介して受信する第１受信機能力情報受信処理と、
前記受信機能力情報に含まれる符号化方式が前記記憶部に記憶された前記相手先情報の符号化方式より圧縮率が高い場合、前記符号化画像データを前記入力された相手先情報に対応する相手先装置に対して、前記通信部を用いてファクシミリ送信し、
前記受信機能力情報の符号化方式が前記記憶部に記憶された符号化方式より圧縮率が低い場合、前記符号化画像データを前記受信機能力情報の符号化方式で再符号化した後、前記再符号化された前記符号化画像データを前記入力された相手先情報に対応する相手先装置に対して、前記通信部を用いてファクシミリ送信する第２ファクシミリ送信処理と、
を実行する、ファクシミリ装置。
【請求項３】
請求項２に記載のファクシミリ装置であって、
複数の符号化方式は、モノクロ送信の場合の符号化方式であって、圧縮率の高い順に、ＭＭＲ方式、ＭＲ方式、ＭＨ方式であって、
前記ＣＰＵは、
更に、
前記ＩＰネットワークを介してファクシミリ送信する際、第一種のモード設定、又は、前記第一種のモード設定と異なる第二種のモード設定のいずれかを前記操作部によって設定するモード設定処理、を実行し、
前記第１符号化画像データ生成処理は、前記判断処理によって前記記憶部に記憶されている相手先情報でない場合であって、前記モード設定処理によって前記第一種のモード設定がされている場合、実行され、
前記記憶部には、
前記読取処理で読み取られた原稿に対応する画像データから前記複数の符号化方式のうち最も圧縮率が高いＭＭＲ方式である第二種の符号化方式によって符号化された第二種の符号化画像データを生成するのに要する第１時間と、その第二種の符号化画像データをＭＭＲ方式からＭＲ方式に復号するのに要する推定時間、及び、前記第二種の符号化画像データをＭＭＲ方式からＭＨ方式に復号するのに要する推定時間である第２時間と、が前記第１時間の幅毎にそれぞれ記憶され、
前記ＣＰＵは、
更に、
前記判断処理によって前記記憶部に記憶されている相手先情報でない場合であって、かつ、前記モード設定処理によって前記第二種のモード設定がされている場合、前記読取処理で読み取られた原稿の画像データが前記第二種の符号化方式によって符号化された前記第二種の符号化画像データを生成し、前記記憶部に記憶する、第３符号化画像データ生成処理と、
前記第３符号化画像データ生成処理にて記憶された前記第二種の符号化画像データのデータ容量を、取得するデータ容量取得処理と、
前記第３符号化画像データ生成処理に要する時間を計測する計測処理と、
前記第３符号化画像データ生成処理にて記憶された前記第二種の符号化画像データのデータ容量を、前記計測処理にて計測された時間が前記第１時間の幅に属する第２時間としての前記２つの推定時間のうちいずれか長い推定時間で除して、基準通信速度を算出する基準通信速度算出処理と、
前記基準通信速度算出処理後、前記入力された相手先情報に対応する相手先装置から該相手先装置の符号化方式を含む受信機能力情報を前記通信部を介して受信する第２受信機能力情報受信処理と、
前記通信部を複数の通信帯域のうち、前記基準通信速度算出処理にて算出された前記基準通信速度以下であって、前記基準通信速度に最も近い速度である通信帯域に設定し、前記受信機能力情報の符号化方式が前記第二種の符号化方式より圧縮率が低い場合、前記第３符号化画像データ生成処理にて記憶された前記第二種の符号化画像データを、前記第２受信機能力情報受信処理にて受信された前記受信機能力情報の符号化方式で再符号化した後、前記再符号化された前記符号化画像データを前記入力された相手先情報に対応する相手先装置に対して、前記通信部を用いてファクシミリ送信する第３ファクシミリ送信処理と、
を実行する、ファクシミリ装置。
【発明の詳細な説明】
【技術分野】
【０００１】
本発明は、ファクシミリ装置に関する。
【背景技術】
【０００２】
従来から、ファクシミリ装置に関する技術が提案されている（例えば、特許文献１、特許文献２参照）。特許文献１のファクシミリ装置では、宛先伝送モードが宛先毎に記憶されると共に、宛先伝送モードに対応した符号化方式で画情報が符号化されて画像メモリに蓄積される。ファクシミリ装置では、伝送前手順において宛先伝送モードが変更されていることが検出された場合、その時点で伝送手順が一旦終了し、宛先に対応した宛先伝送モードが更新され、画像メモリに蓄積された符号化画情報は、更新された宛先伝送モードに対応した符号化方式で改めて符号化される。新規な宛先が選択されている場合、標準的なモードに設定されたデフォルト値にて、画情報が符号化されて画像メモリに蓄積される。
【０００３】
特許文献２のファクシミリ装置では、各送信先毎に、その送信先ファクシミリ装置の画情報の符号化方式と画情報のデータ伝送速度と単位時間当たりの通信料金とが記憶される。ファクシミリ装置では、画像メモリに蓄積された画情報のデータ量と前述の符号化方式とデータ伝送速度とに基づいて画情報の送信に要する送信時間が算出され、その送信時間と前述の単位時間当たりの通信料金とに基づいて画情報送信に要する通信料金が算出され、その通信料金が画情報の送信を開始する前に表示される。なお、市外局番から始まる電話番号を利用した帯域確保型のデータ通信サービスが提供されている（例えば、非特許文献１参照）。このサービスにはＮＧＮが利用される。
【先行技術文献】
【特許文献】
【０００４】
【特許文献１】特開昭６１−２６２３６４号公報
【特許文献２】特開昭６４−３７１６５号公報
【非特許文献】
【０００５】
【非特許文献１】東日本電信電話株式会社、“Ｎｅｗｓ  Ｒｅｌｅａｓｅ  「ひかり電話」を利用した帯域確保型データ通信サービス  「データコネクト」の提供および大容量・多チャネルでの通信を実現する「ひかり電話ナンバーゲート」の提供について”、［online］、平成２２年５月３１日、［平成２３年６月２８日検索］、インターネット< http://www.ntt-east.co.jp/release/detail/20100531_05.html >
【発明の概要】
【発明が解決しようとする課題】
【０００６】
ところで、送信先となるファクシミリ装置（相手先装置）とファクシミリ通信を行う場合、送信元のファクシミリ装置では、読み取られた原稿に対応する画像データは、符号化された形式で送信される。その際、送信元のファクシミリ装置と、相手先装置との間では、ファクシミリ送信に用いる符号化方式等がネゴシエーションされる。送信元のファクシミリ装置は、このネゴシエーションによって決定された符号化方式で、符号化された符号化画像データを生成し、これを送信する。ここで、符号化画像データを送信する方法の１つとして、メモリ送信がある。
【０００７】
送信元のファクシミリ装置において、モノクロ送信が選択されている場合のメモリ送信を例に、解決すべき課題を説明する。モノクロ送信の場合の符号化方式としては、例えば、圧縮率の高い順に、ＭＭＲ、ＭＲ、ＭＨが採用される。なお、ＪＢＩＧによる符号化方式が採用される場合もある。メモリ送信では、原稿の読み取りと、圧縮率の高い例えばＭＭＲによる符号化と、符号化画像データの所定の記憶領域への記憶（蓄積）といった一連の処理が行われる。全頁分の符号化画像データが記憶された状態で、ネゴシエーションが行われる。ネゴシエーションの結果、相手先装置が、ＭＭＲに対応していないファクシミリ装置である場合、送信元のファクシミリ装置では、ＭＭＲ形式の符号化画像データが復号され、復号された画像データが、相手先装置が受信できる符号化方式で再符号化される。その後、再符号化された符号化画像データが送信される。このように、メモリ送信において再符号化が実行される場合、処理に要する時間が長くなる。例えば、上述したような帯域確保型のデータ通信サービスが利用される場合、高速通信のメリットが失われる。ＮＧＮが利用された帯域確保型のデータ通信サービスにおける通信帯域（通信速度）は、６４ｋｂｐｓ、５１２ｋｂｐｓ、１０００ｋｂｐｓ（１Ｍｂｐｓ）程度である。
【０００８】
本発明は、相手先装置が受信できる符号化画像データを好適に生成し、好適なファクシミリ送信を行うことできる、ファクシミリ装置を提供することを目的とする。
【課題を解決するための手段】
【０００９】
上記従来の課題に鑑みなされた本発明の一側面は、帯域確保型のＩＰネットワークに接続された相手先装置に、読み取られた原稿に対応する画像データを符号化した符号化画像データを、前記ＩＰネットワークを介してファクシミリ送信するファクシミリ装置であって、原稿を読み取る読取部と、前記読取部で読み取られた原稿に対応する画像データから、第二の圧縮率より圧縮率が低い第一の圧縮率の第一種の符号化方式で符号化された第一種の符号化画像データと、前記第二の圧縮率の第二種の符号化方式で符号化された第二種の符号化画像データと、を生成する生成部と、前記生成部で生成された、第一種の符号化画像データ及び第二種の符号化画像データを記憶する第一記憶部と、前記生成部で第一種の符号化画像データが生成された場合、第一種の符号化画像データを前記第一記憶部に記憶し、前記生成部で第二種の符号化画像データが生成された場合、第二種の符号化画像データを前記第一記憶部に記憶する、記憶制御部と、前記ＩＰネットワークに接続される通信部と、前記通信部を制御する通信制御部と、相手先装置に対応する相手先情報と、相手先装置が受信できる符号化画像データの符号化方式として、前記第一種の符号化方式又は前記第二種の符号化方式と、を関連付けた符号化情報を記憶する第二記憶部と、ファクシミリ送信に用いる通信帯域を、第二の通信帯域より高速である第一の通信帯域、又は、前記第二の通信帯域の何れかに設定する帯域設定部と、前記第二記憶部に記憶された前記符号化情報に従い、ファクシミリ送信のために前記ファクシミリ装置に入力された入力済みの相手先情報に、前記第一種の符号化方式又は前記第二種の符号化方式が、関連付けられているかについて判断する第一判断部と、を備え、前記生成部は、前記第一判断部で、前記入力済みの相手先情報に、何れの符号化方式も関連付けられていないと判断された第一の場合、第一種の符号化画像データを生成し、前記帯域設定部は、前記第一の場合、前記通信帯域を、前記第一の通信帯域に設定し、前記通信制御部は、前記第一の場合、前記通信部を制御し、前記入力済みの相手先情報に対応する相手先装置に、前記生成部で生成され、前記記憶制御部にて前記第一記憶部に記憶された第一種の符号化画像データを、前記帯域設定部で設定された前記第一の通信帯域で、ファクシミリ送信する、ファクシミリ装置である。
【００１０】
これによれば、上述した第一の場合、圧縮率が低い第一種の符号化方式で符号化された第一種の符号化画像データと、通信帯域が高速である第一種の通信帯域との組み合わせによるファクシミリ送信を実現することができる。即ち、低圧縮でデータ容量が大きくなる場合、通信帯域が高速である第一種の通信帯域とすることが可能となり、ファクシミリ送信のための通信時間を短縮することができる。ところで、送信される符号化画像データの符号化方式に関し、圧縮率が低い方式は、既存のファクシミリ装置の多くが対応しており、従って、再符号化を回避できる。そのため、再符号化のための処理時間が必要なく、ファクシミリ送信のための通信時間を短縮することができる。
【００１１】
このファクシミリ装置は、次のようにすることもできる。前記生成部は、前記第一判断部で、前記入力済みの相手先情報に、前記第一種の符号化方式又は前記第二種の符号化方式が関連付けられていると判断された第二の場合、前記入力済みの相手先情報に関連付けられた前記第一種の符号化方式又は前記第二種の符号化方式で、符号化された第一種の符号化画像データ又は第二種の符号化画像データを生成し、前記帯域設定部は、前記第二の場合、前記通信帯域を、前記第一の通信帯域に設定し、前記通信制御部は、前記第二の場合、前記通信部を制御し、前記入力済みの相手先情報に対応する相手先装置に、前記生成部で生成され、前記記憶制御部にて前記第一記憶部に記憶された第一種の符号化画像データ又は第二種の符号化画像データを、前記帯域設定部で設定された前記第一の通信帯域で、ファクシミリ送信する、ようにしてもよい。これによれば、上述した第二の場合、相手先装置が受信できる符号化画像データと、通信帯域が高速である第一種の通信帯域との組み合わせによるファクシミリ送信を実現することができる。即ち、再符号化を回避し、且つ、高速である第一種の通信帯域を設定することで、ファクシミリ送信のための通信時間を短縮することができる。
【００１２】
また、前記ファクシミリ装置は、前記生成部が、前記読取部で読み取られた原稿に対応する画像データから、第二種の符号化画像データを生成するのに要する第一時間を計測する計時部と、前記生成部で生成され、前記記憶制御部にて前記第一記憶部に記憶された第二種の符号化画像データのデータ容量を取得する容量取得部と、前記計時部で計測された第一時間と、第二種の符号化画像データを復号し、復号された画像データから第一種の符号化画像データを生成するのに要する第二時間と、の対応を定めた対応時間情報を記憶する第三記憶部と、前記第三記憶部に記憶された前記対応時間情報に従い、前記計時部で計測された第一時間に対応する第二時間を取得する時間取得部と、前記容量取得部で取得されたデータ容量と、前記時間取得部で取得された第二時間と、から、基準通信速度を取得する速度取得部と、前記通信制御部によって前記通信部で受信された能力信号であって、前記入力済みの相手先情報に対応する相手先装置からの能力信号から、相手先装置が受信できる符号化画像データの符号化方式のための受信機能力情報を取得する情報取得部と、前記情報取得部で取得された受信機能力情報に従い、前記入力済みの相手先情報に対応する相手先装置が受信できる符号化画像データの符号化方式について判断する第二判断部と、前記ファクシミリ装置の動作モードを、第一種のモード、又は、第二種のモードの何れかに設定するモード設定部と、を、さらに備え、前記生成部は、前記第一判断部で、前記入力済みの相手先情報に、何れの符号化方式も関連付けられていないと判断され、且つ、前記ファクシミリ装置の動作モードが、前記モード設定部にて、第一種のモードに設定されている第三の場合、第一種の符号化画像データを生成し、前記第一判断部で、前記入力済みの相手先情報に、何れの符号化方式も関連付けられていないと判断され、且つ、前記ファクシミリ装置の動作モードが、前記モード設定部にて、第二種のモードに設定されている第四の場合、第二種の符号化画像データを生成し、第二種の符号化画像データが、前記第四の場合において前記生成部で生成され、前記記憶制御部にて前記第一記憶部に記憶され、且つ、前記第二判断部で、前記入力済みの相手先情報に対応する相手先装置が、前記第二種の符号化方式に対応しておらず、前記第一種の符号化方式に対応していると判断された第五の場合、前記第一記憶部に記憶された第二種の符号化画像データを復号し、復号された画像データから第一種の符号化画像データを生成し、前記帯域設定部は、前記第三の場合、前記通信帯域を、前記第一の通信帯域に設定し、前記第五の場合、前記通信帯域を、前記速度取得部で取得された前記基準通信速度以下又は未満である、前記第一の通信帯域又は前記第二の通信帯域に設定し、前記通信制御部は、前記第三の場合、前記通信部を制御し、前記入力済みの相手先情報に対応する相手先装置に、前記生成部で生成され、前記記憶制御部にて前記第一記憶部に記憶された第一種の符号化画像データを、前記帯域設定部で設定された前記第一の通信帯域で、ファクシミリ送信し、前記第五の場合、前記通信部を制御し、前記入力済みの相手先情報に対応する相手先装置に、前記生成部で生成され、前記記憶制御部にて前記第一記憶部に記憶された第一種の符号化画像データを、前記帯域設定部で設定された前記第一の通信帯域又は前記第二の通信帯域で、ファクシミリ送信する、ようにしてもよい。
【００１３】
これによれば、上述した第三の場合、既に説明した第一の場合と同様のファクシミリ送信を実現することができる。この点に関する説明は、省略する。上述した第五の場合、第二種の符号化画像データを、復号し、第一種の符号化画像データに符号化するといった再符号化に要する時間に対応した通信帯域を、ファクシミリ送信に用いる通信帯域として設定することができる。即ち、不必要に高速な通信帯域が、ファクシミリ送信に用いる通信帯域として設定されることを防止することができる。複数のパターンに対応したファクシミリ送信を、両立することができる。なお、高速な通信帯域を用いるほど、ファクシミリ送信のための課金額が高額となるような場合、このようなファクシミリ装置は、課金額を抑制することができ、好適である。
【００１４】
本発明の他の側面は、帯域確保型のＩＰネットワークに接続された相手先装置に、読み取られた原稿に対応する画像データを符号化した符号化画像データを、前記ＩＰネットワークを介してファクシミリ送信するファクシミリ装置であって、原稿を読み取る読取部と、前記読取部で読み取られた原稿に対応する画像データから、第二の圧縮率より圧縮率が低い第一の圧縮率の第一種の符号化方式で符号化された第一種の符号化画像データと、前記第二の圧縮率の第二種の符号化方式で符号化された第二種の符号化画像データと、を生成する生成部と、前記生成部で生成された、第一種の符号化画像データ及び第二種の符号化画像データを記憶する第一記憶部と、前記生成部で第一種の符号化画像データが生成された場合、第一種の符号化画像データを前記第一記憶部に記憶し、前記生成部で第二種の符号化画像データが生成された場合、第二種の符号化画像データを前記第一記憶部に記憶する、記憶制御部と、前記ＩＰネットワークに接続される通信部と、前記通信部を制御する通信制御部と、相手先装置に対応する相手先情報と、相手先装置が受信できる符号化画像データの符号化方式として、前記第一種の符号化方式又は前記第二種の符号化方式と、を関連付けた符号化情報を記憶する第二記憶部と、ファクシミリ送信に用いる通信帯域を、第二の通信帯域より高速である第一の通信帯域、又は、前記第二の通信帯域の何れかに設定する帯域設定部と、前記第二記憶部に記憶された前記符号化情報に従い、ファクシミリ送信のために前記ファクシミリ装置に入力された入力済みの相手先情報に、前記第一種の符号化方式又は前記第二種の符号化方式が、関連付けられているかについて判断する第一判断部と、前記生成部が、前記読取部で読み取られた原稿に対応する画像データから、第二種の符号化画像データを生成するのに要する第一時間を計測する計時部と、前記生成部で生成され、前記記憶制御部にて前記第一記憶部に記憶された第二種の符号化画像データのデータ容量を取得する容量取得部と、前記計時部で計測された第一時間と、第二種の符号化画像データを復号し、復号された画像データから第一種の符号化画像データを生成するのに要する第二時間と、の対応を定めた対応時間情報を記憶する第三記憶部と、前記第三記憶部に記憶された前記対応時間情報に従い、前記計時部で計測された第一時間に対応する第二時間を取得する時間取得部と、前記容量取得部で取得されたデータ容量と、前記時間取得部で取得された第二時間と、から、基準通信速度を取得する速度取得部と、前記通信制御部によって前記通信部で受信された能力信号であって、前記入力済みの相手先情報に対応する相手先装置からの能力信号から、相手先装置が受信できる符号化画像データの符号化方式のための受信機能力情報を取得する情報取得部と、前記情報取得部で取得された受信機能力情報に従い、前記入力済みの相手先情報に対応する相手先装置が受信できる符号化画像データの符号化方式について判断する第二判断部と、を備え、前記生成部は、前記第一判断部で、前記入力済みの相手先情報に、何れの符号化方式も関連付けられていないと判断された第一の場合、第二種の符号化画像データを生成し、第二種の符号化画像データが、前記第一の場合において前記生成部で生成され、前記記憶制御部にて前記第一記憶部に記憶され、且つ、前記第二判断部で、前記入力済みの相手先情報に対応する相手先装置が、前記第二種の符号化方式に対応しておらず、前記第一種の符号化方式に対応していると判断された第六の場合、前記第一記憶部に記憶された第二種の符号化画像データを復号し、復号された画像データから第一種の符号化画像データを生成し、前記帯域設定部は、前記第六の場合、前記通信帯域を、前記速度取得部で取得された前記基準通信速度以下又は未満である、前記第一の通信帯域又は前記第二の通信帯域に設定し、前記通信制御部は、前記第六の場合、前記通信部を制御し、前記入力済みの相手先情報に対応する相手先装置に、前記生成部で生成され、前記記憶制御部にて前記第一記憶部に記憶された第一種の符号化画像データを、前記帯域設定部で設定された前記第一の通信帯域又は前記第二の通信帯域で、ファクシミリ送信する、ファクシミリ装置である。
【００１５】
これによれば、上述した第六の場合、既に説明した第五の場合と同様のファクシミリ送信を実現することができる。この点に関する説明は、省略する。上述した何れかのファクシミリ装置において、第一記憶部及び第二記憶部、又は、第一記憶部、第二記憶部及び第三記憶部は、ハードウェア的には、それぞれ別体の記憶部によって構成されていてもよいが、例えば、１つの記憶部によって構成されていてもよい。なお、何れか２つの記憶部が、ハードウェア的に１つの記憶部によって構成され、残りの１つの記憶部が、別体の記憶部であってもよい。
【発明の効果】
【００１６】
本発明によれば、相手先装置が受信できる符号化画像データを好適に生成し、好適なファクシミリ送信を行うことできる、ファクシミリ装置を得ることができる。
【図面の簡単な説明】
【００１７】
【図１】ファクシミリ通信システムの一例、及び、ファクシミリ装置のハードウェア構成の一例を示すブロック図である。
【図２】（Ａ）は、符号化情報テーブルの一例を示す図である。（Ｂ）は、ダイヤル番号と符号化方式との関連付けを含む短縮ダイヤルテーブルの一例を示す図である。（Ｃ）は、対応時間情報テーブルの一例を示す図である。（Ｄ）は、通信帯域テーブルの一例を示す図である。
【図３】ＦＡＸ送信処理のフローチャート（その１）である。
【図４】ＦＡＸ送信処理のフローチャート（その２）である。
【図５】第一種モード処理のフローチャートである。
【図６】（Ａ）は、ＩＮＶＩＴＥメッセージのＳＤＰの一例を示す図である。（Ｂ）は、２００ＯＫメッセージのＳＤＰの一例を示す図である。
【図７】第二種モード処理のフローチャートである。
【図８】高圧縮符号化処理のフローチャートである。
【図９】通信帯域設定処理のフローチャートである。
【図１０】相手先対応処理のフローチャートである。
【発明を実施するための形態】
【００１８】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１９】
＜ファクシミリ通信システム＞
ファクシミリ通信システム（以下、「ＦＡＸ通信システム」という）１について、図１を参照して説明する。図１に示すＦＡＸ通信システム１は、次世代ネットワーク（ＮＧＮ（Next Generation Network）。以下、「ＮＧＮ」という）網３によって構築される。具体的に、ＦＡＸ通信システム１は、例えば上述した非特許文献１に示されるような、市外局番から始まる電話番号（以下、「ダイヤル番号」という）を利用した帯域確保型のデータ通信サービスによって構築される。即ち、ＦＡＸ通信システム１は、東日本電信電話株式会社及び西日本電信電話株式会社によって既に提供されている、帯域確保型のデータ通信サービスによって構築される。この帯域確保型のデータ通信サービスは、データコネクト（登録商標）と称されている。ＮＧＮ網３を利用した帯域確保型のデータ通信サービスは、既に実用化された技術であるため、その説明は、省略する。
【００２０】
ＦＡＸ通信システム１は、図１に示すように、少なくとも、送信元となるファクシミリ装置（以下、「ＦＡＸ装置」という）１０と、送信先（受信側）となるファクシミリ装置（以下、「相手先装置」という）５０とを含む。また、ＦＡＸ通信システム１は、ＳＩＰ（Session Initiation Protocol）サーバ８０を含む。ＦＡＸ装置１０と、相手先装置５０と、ＳＩＰサーバ８０とは、ＮＧＮ網３に接続されている。ＳＩＰサーバ８０は、ＦＡＸ装置１０のＩＰアドレス及びＳＩＰＵＲＩ（SIP Uniform Resource Identifier）を対応付けて記憶し、相手先装置５０の、ＩＰアドレス及びＳＩＰＵＲＩを対応付けて記憶している。ＳＩＰサーバ８０は、ＳＩＰを用いて、ＦＡＸ装置１０と相手先装置５０との間の通信を制御する。Ｔ．３８ＦＡＸ通信において、ＦＡＸ装置１０と相手先装置５０との間でＳＩＰに従った手順に基づく各種の信号（指令）は、ＳＩＰサーバ８０を経由して送受信される。この他、ＦＡＸ通信システム１は、交換機９０を含む。ＦＡＸ装置１０と相手先装置５０とは、交換機９０によって構成された公衆電話交換回線網（ＰＳＴＮ（Public Switched Telephone Networks）。以下、「ＰＳＴＮ」という）５にも接続されている。交換機９０は、既に実用化された構成であるため、その説明は、省略する。
【００２１】
＜ＦＡＸ装置＞
ＦＡＸ装置１０は、Ｔ．３８ベースのＩＰＦＡＸ（Internet Protocol FAX  以下、「Ｔ．３８ＦＡＸ」という）通信と、一般ＦＡＸ通信とを行うための機能を有する。Ｔ．３８は、ＩＰプロトコルを用いて、Ｇ３ＦＡＸ通信を行うための伝送制御プロトコルである。Ｔ．３８ＦＡＸ通信は、ＳＩＰＵＲＩを用いて、ＮＧＮ網３を介して、符号化された画像データ（以下、「符号化画像データ」という）を通信（送受信）するものである。一般ＦＡＸ通信は、ＰＳＴＮ５を介して、符号化画像データを通信するものである。Ｔ．３８ＦＡＸ通信及び一般ＦＡＸ通信では、相手先装置５０に対応する相手先情報として、ダイヤル番号が用いられる。ダイヤル番号としては、例えば、０ＡＢＪやＥ．１６４形式が例示され、東日本電信電話株式会社及び西日本電信電話株式会社から割り当てられる。ＦＡＸ装置１０は、Ｔ．３８ＦＡＸ通信によって、符号化画像データを、相手先装置５０に送信（以下、「Ｔ．３８ＦＡＸ送信」という）できる。ＦＡＸ装置１０は、一般ＦＡＸ通信によって、符号化画像データを、相手先装置５０に送信（以下、「一般ＦＡＸ送信」という）できる。ＦＡＸ装置１０は、カラー及びモノクロの送信に対応している。
【００２２】
ＦＡＸ装置１０は、図１に示すように、表示部１２と、操作部１４と、読取部１６と、印刷部１８と、ネットワークインターフェース（ネットワークＩ／Ｆ）２０と、ＰＳＴＮインターフェース（ＰＳＴＮ Ｉ／Ｆ）２２と、計時部２４とを備える。ＦＡＸ装置１０は、ＣＰＵ３０と、プログラムＲＯＭ３２と、ＲＡＭ３４と、フラッシュＲＯＭ３６とを備える。これら各部１２〜３６は、バスライン２６に接続されている。表示部１２は、諸情報を表示するためのディスプレイである。操作部１４は、複数のキーによって構成される。操作部１４は、０〜９等のテンキー、短縮ダイヤルキー、スタートキー、選択キー及び停止キー等で構成される。テンキー及び短縮ダイヤルキーは、例えば、ダイヤル番号を入力する際に押下される。スタートキーは、Ｔ．３８ＦＡＸ送信又は一般ＦＡＸ送信を行う際に、押下される。例えば、相手先装置５０に、モノクロ送信を行う場合、モノクロ送信のためのスタートキーが押下される。選択キーは、所定の選択肢を選択等する際に押下される。例えば、後述するアドレス帳データベースに登録された相手先装置５０に対応するダイヤル番号から、所望のダイヤル番号を選択する際に用いられる。選択キーによって所望のダイヤル番号を選択することでも、ダイヤル番号を入力することができる。停止キーは、開始された処理又は動作等を、停止等させる際に押下される。ユーザは、操作部１４を構成する各種の処理に対応付けられたキーを操作することで、各種の指示をＦＡＸ装置１０に入力することができる。
【００２３】
読取部１６は、原稿を読み取る。印刷部１８は、ＦＡＸ装置１０で受信された符号化画像データに対応する画像を、記録用紙に印刷する。ネットワークＩ／Ｆ２０は、ＮＧＮ網３に接続され、ＦＡＸ装置１０をＮＧＮ網３に接続する。ＰＳＴＮ Ｉ／Ｆ２２は、ＰＳＴＮ５に接続され、ＦＡＸ装置１０をＰＳＴＮ５に接続する。計時部２４は、時間経過を計測する。計時部２４は、例えば、時計又はタイマである。ＣＰＵ３０は、演算処理を実行する。プログラムＲＯＭ３２は、図３〜図５及び図７〜図１０に基づき後述するような各種の処理等のためのコンピュータプログラムを記憶する。ＲＡＭ３４は、ＣＰＵ３０が各種のコンピュータプログラムを実行する際に利用される記憶領域となる。ＲＡＭ３４には、入力されたダイヤル番号を記憶する領域、ＳＩＰによる接続の可否を表す接続フラグのための領域、変数Ｉの領域、帯域（Ｓ）の領域、及び、その他後述する処理で利用される情報（データ）のための領域が確保される。ＣＰＵ３０は、プログラムＲＯＭ３２に記憶された各種のコンピュータプログラムを実行する等して、ＦＡＸ装置１０を制御する。これによって、ＦＡＸ装置１０では、各種の処理が実行され、各種の機能が実現される。
【００２４】
フラッシュＲＯＭ３６は、各種のデータを記憶する。各種のデータは、フラッシュＲＯＭ３６の所定の記憶領域毎に、それぞれ、記憶される。例えば、フラッシュＲＯＭ３６には、相手先装置５０に関連付けて、相手先装置５０に対応するダイヤル番号等が登録されたアドレス帳データベースと、ＳＩＰサーバ８０のドメイン名が記憶される。ユーザは、操作部１４等を介して、相手先装置５０を含む受信側のＦＡＸ装置のダイヤル番号等をアドレス帳データベースに登録し、また、ＳＩＰサーバ８０のドメイン名を記憶させる。本実施形態では、ＳＩＰサーバ８０のドメイン名は、「sipuri.com」であるとする。フラッシュＲＯＭ３６には、ＦＡＸ装置１０で、優先させるファクシミリ送信の通信方式に関する設定が記憶される。具体的に、通信方式に関する設定として、Ｔ．３８ＦＡＸ送信又は一般ＦＡＸ送信の何れかが記憶される。例えば、相手先装置５０へのファクシミリ送信に関し、Ｔ．３８ＦＡＸ送信を優先させる場合、ユーザは、操作部１４を介して、優先させる通信方式として、Ｔ．３８ＦＡＸ送信を入力する。ＣＰＵ３０は、優先させるファクシミリ送信の通信方式に関する設定として、Ｔ．３８ＦＡＸ送信を、フラッシュＲＯＭ３６に記憶する。一般ＦＡＸ送信を優先させる場合、フラッシュＲＯＭ３６には、一般ＦＡＸ送信が記憶される。
【００２５】
フラッシュＲＯＭ３６には、ダイヤル番号と、そのダイヤル番号の相手先装置５０が対応する符号化方式とを関連付けた、図２（Ａ）に示すような、符号化情報テーブルが記憶される。ダイヤル番号に対応する相手先装置５０に関し、符号化方式が特定されていない場合、そのダイヤル番号には、符号化方式は関連付けられない。符号化情報テーブルは、ＦＡＸ装置１０で、相手先装置５０のダイヤル番号が管理された他の用途のテーブル（データベース）を利用した形態としてもよい。例えば、図２（Ｂ）に示すように、短縮ダイヤルキーによるダイヤル番号の入力を可能とするための短縮ダイヤルテーブルを利用した形態としてもよい。短縮ダイヤルテーブルは、複数の短縮ダイヤルキーと、ダイヤル番号とがそれぞれ関連付けられたテーブルである。短縮ダイヤルテーブルによる場合、短縮ダイヤルキーに関連付けられたダイヤル番号に、さらに、符号化方式が関連付けられる。この他、上述したアドレス帳データベースを利用し、又は、ファクシミリ送信及び／又は受信が管理された通信管理テーブル、若しくは、所謂、ワンタッチダイヤルのためのワンタッチダイヤルテーブルを利用した形態としてもよい。これらについては、短縮ダイヤルテーブルと同様の形態とされる。
【００２６】
フラッシュＲＯＭ３６には、ＦＡＸ装置１０の動作モードに関する設定が記憶される。具体的に、第一種のモード又は第二種のモードの何れかが記憶される。詳細は後述するが、ＦＡＸ送信処理（図３参照）で、符号化情報テーブル（図２（Ａ）参照）から、入力されたダイヤル番号の相手先装置５０が対応する符号化方式が判断できない場合（図３のＳ１０６：Ｎｏ参照）、ＦＡＸ装置１０では、第一種のモードに対応する第一種モード処理（図３のＳ１１０、詳細は図５参照）、又は、第二種モードに対応する第二種モード処理（図３のＳ１１２、詳細は図７参照）が、動作モードに関する設定に応じて、実行される。第一種のモードは、相手先装置５０が対応する符号化方式が判断できない場合、読み取られた原稿に対応する画像データを、低圧縮率の符号化方式（例えば、ＭＨ）で符号化した符号化画像データを生成し、これを、通信速度を高速とすることができる通信帯域を介して、Ｔ．３８ＦＡＸ送信するモードである。このモードは、例えば、高速な通信帯域を設定することによる課金額の増加より通信速度を優先させたいユーザが設定する動作モードとして機能する。第二種のモードは、読み取られた原稿に対応する画像データを、一旦、高圧縮率の符号化方式（例えば、ＭＭＲ）で符号化した符号化画像データを生成し、これを、相手先装置５０が対応する符号化方式の符号化画像データに再符号化すると共に、再符号化に要する時間に対応させた通信速度となる通信帯域を介して、Ｔ．３８ＦＡＸ送信するモードである。このモードは、例えば、通信速度より課金を優先させたいユーザが設定する動作モードとして機能する。ユーザは、操作部１４を操作し、ＦＡＸ装置１０の動作モードを、何れの動作モードとするかを、予め入力する。ＣＰＵ３０は、入力された第一種のモード又は第二種のモードを、フラッシュＲＯＭ３６に動作モードに関する設定として記憶する。
【００２７】
フラッシュＲＯＭ３６には、通信帯域設定処理（図９参照）で用いられる、対応時間情報テーブル（図２（Ｃ）参照）及び通信帯域テーブル（図２（Ｄ）参照）が記憶される。対応時間情報テーブルは、第一時間、詳細には、所定の範囲の第一時間と、第一種の第二時間及び第二種の第二時間とが関連付けて記憶されたテーブルである。第一時間は、１回のＴ．３８ＦＡＸ送信において、読取部１６で読み取られた全ての原稿に対応する全頁分の画像データを、ＭＭＲで符号化し、ＭＭＲ形式の符号化画像データを生成するのに要する時間であって、高圧縮符号化処理（図８参照）で計測される時間（図８のＳ４０４、Ｓ４１４参照）である。第二時間は、全頁分のＭＭＲ形式の符号化画像データを、復号し、復号された画像データを、ＭＲ形式又はＭＨ形式の符号化画像データに再符号化するのに要する時間（推定時間）である。ＭＲ形式の符号化画像データに再符号化する場合を、第一種の第二時間といい、ＭＨ形式の符号化画像データに再符号化する場合を、第二種の第二時間という。第一時間（第一時間の範囲）と第一種の第二時間との対応、及び、第一時間（第一時間の範囲）と第二種の第二時間との対応は、実験又は計算等によって求められる。通信帯域テーブルは、通信帯域識別子（図２（Ｄ）では、０、１及び２）と、ＮＧＮ網３が利用された帯域確保型のデータ通信サービスにおける通信帯域（６４ｋｂｐｓ、５１２ｋｂｐｓ、１０００ｋｂｐｓ）との対応を定めたテーブルである。図４（Ｄ）から明らかな通り、通信帯域テーブルでは、通信帯域識別子「０」と通信帯域「１０００」とが関連付けられたレコードが先頭とされ、次に、通信帯域識別子「１」と通信帯域「５１２」とが関連付けられたレコードが登録され、最後に、通信帯域識別子「２」と通信帯域「６４」とが関連付けられたレコードが登録されている。即ち、通信帯域が降順となるように登録されている。相手先装置５０は、ＦＡＸ装置１０と同様又は従来から用いられているＦＡＸ装置である。相手先装置５０は、図１に示すように、ＦＡＸ装置１０の各部１２〜３６に対応する、各部５２〜７６を備える。相手先装置５０に関する説明は、省略する。
【００２８】
＜ＦＡＸ送信処理＞
ＦＡＸ装置１０で実行されるＦＡＸ送信処理について、図３及び図４等を参照して説明する。以下では、メモリ送信によるモノクロ送信が対象とされる。ＦＡＸ送信処理の開始に際し、ユーザは、ＦＡＸ装置１０に、送信対象の原稿をセットし、相手先装置５０のダイヤル番号を入力する。ダイヤル番号は、上述した通り、操作部１４のうち、テンキー若しくは短縮ダイヤルキーを用いて、又は、選択キーによるアドレス帳データベースから、入力される。ＦＡＸ送信処理は、ユーザが相手先装置５０のダイヤル番号を入力し、スタートキーを押下した場合に開始される。ＣＰＵ３０は、前述のような何れかの方法によって入力されたダイヤル番号を、取得する（Ｓ１００）。その後、ＣＰＵ３０は、フラッシュＲＯＭ３６にアクセスし、優先させるファクシミリ送信の通信方式に関する設定が、Ｔ．３８ＦＡＸ送信であるかについて、判断する（Ｓ１０４）。
【００２９】
通信方式に関する設定が、Ｔ．３８ＦＡＸ送信である場合（Ｓ１０４：Ｙｅｓ）、ＣＰＵ３０は、符号化情報テーブル（図２（Ａ）参照）において、Ｓ１００で取得されたダイヤル番号（以下、「取得済みダイヤル番号」という）に、符号化方式が関連付けられているかについて判断する（Ｓ１０６）。符号化情報テーブルが、例えば、図２（Ｂ）に示すような形態であった場合、Ｓ１０６の判断は、短縮ダイヤルテーブルを用いて行われる。図２（Ａ）に示す、符号化情報テーブルに基づき、Ｓ１０６を具体的に説明する。例えば、取得済みダイヤル番号が「234-567-8901」であった場合、図２（Ａ）では、これに一致するダイヤル番号には、符号化方式が関連付けられていない。このような場合、ＣＰＵ３０は、Ｓ１０６の判断を否定し（Ｓ１０６：Ｎｏ）、処理をＳ１０８に移行する。取得済みダイヤル番号が符号化情報テーブルに未登録である場合も、ＣＰＵ３０は、符号化方式が関連付けられていない場合と同様、Ｓ１０６の判断を否定（Ｓ１０６：Ｎｏ）する。取得済みダイヤル番号が「123-456-7890」であった場合、図２（Ａ）では、これに一致するダイヤル番号に、符号化方式「ＭＲ」が関連付けられている。このような場合、ＣＰＵ３０は、Ｓ１０６の判断を肯定し（Ｓ１０６：Ｙｅｓ）、処理をＳ１１４に移行する。Ｓ１０８で、ＣＰＵ３０は、フラッシュＲＯＭ３６にアクセスし、ＦＡＸ装置１０の動作モードについて判断する。ＦＡＸ装置１０が、第一種のモードである場合（Ｓ１０８：第一種のモード）、ＣＰＵ３０は、第一種モード処理を実行する（Ｓ１１０）。ＦＡＸ装置１０の動作モードが、第二種の動作モードである場合（Ｓ１０８：第二種のモード）、ＣＰＵ３０は、第二種モード処理を実行する（Ｓ１１２）。Ｓ１１４でＣＰＵ３０は、相手先対応処理を実行する。Ｓ１１０の第一種モード処理、Ｓ１１２の第二種モード処理、及び、Ｓ１１４の相手先対応処理については、後述する。
【００３０】
Ｓ１１０、Ｓ１１２又はＳ１１４を実行した後、ＣＰＵ３０は、第一種モード処理、第二種モード処理又は相手先対応処理で設定された接続フラグが接続エラーであるかについて判断する（Ｓ１１５）。接続フラグについては、後述する。接続フラグが、接続エラーであった場合（Ｓ１１５：Ｙｅｓ）、ＣＰＵ３０は、処理を、図４のＳ１１８に移行する。接続フラグが、接続エラーではなかった場合（Ｓ１１５：Ｎｏ）、ＣＰＵ３０は、ＦＡＸ送信処理を終了する。
【００３１】
説明をＳ１０４に戻す。通信方式に関する設定が、一般ＦＡＸ送信であって、Ｔ．３８ＦＡＸ送信ではない場合（Ｓ１０４：Ｎｏ）、ＣＰＵ３０は、処理を図４のＳ１１６に移行し、ＭＭＲ形式の符号化画像データを生成する。具体的に、ＣＰＵ３０は、読取部１６を制御し、ＦＡＸ装置１０にセットされた原稿を読み取り、読取部１６で読み取られた原稿に対応する画像データ（例えば、ビットマップデータ。以下、同じ）を、ＲＡＭ３４に記憶する。画像データは、詳細には、ＲＡＭ３４上に確保された読取バッファ領域に記憶される。続けて、ＣＰＵ３０は、ＲＡＭ３４に記憶された画像データをＭＭＲで符号化し、ＭＭＲ形式の符号化画像データを生成する。生成されたＭＭＲ形式の符号化画像データは、ＲＡＭ３４、詳細には、ＲＡＭ３４に確保された送信用メモリ領域に記憶される。ＣＰＵ３０は、Ｓ１１６を、ＦＡＸ装置１０にセットされた全ての原稿に対して行う。従って、ＲＡＭ３４（送信用メモリ領域）には、読み取られた全ての原稿に対応する全頁分の符号化画像データが記憶される。全頁分の符号化画像データが記憶された時点で、メモリ送信の準備が完了する。ＣＰＵ３０は、一般ＦＡＸ送信のために、取得済みダイヤル番号に従った、発呼を実行する（Ｓ１１８）。具体的に、ＣＰＵ３０は、ＰＳＴＮ Ｉ／Ｆ２２を制御し、ＰＳＴＮ５への回線閉結を行うと共に、取得済みダイヤル番号に従った、発呼を実行する。これによって、交換機９０から、ダイヤル番号に対応する相手先装置５０に対して呼出信号が送信され、相手先装置５０においても、ＰＳＴＮ５への回線閉結が行われる。続けて、ＣＰＵ３０は、ＰＳＴＮ Ｉ／Ｆ２２を制御し、一般ＦＡＸ送信の通信規格に従い、相手先装置５０と通信し、相手先装置５０から送信される能力信号としてのＤＩＳを受信する。ＤＩＳは、画像データの符号化方式に対応する復号化能力に関する受信機能力情報を含む指令（信号）である。ＤＩＳに含まれる受信機能力情報によれば、取得済みダイヤル番号の相手先装置５０が受信できる符号化画像データの符号化方式、換言すれば、この相手先装置５０が対応している符号化方式を、特定することができる。
【００３２】
ＤＩＳを受信した後、ＣＰＵ３０は、ＤＩＳに含まれる受信機能力情報によって特定された符号化方式と、Ｓ１１６における画像データの符号化方式（ＭＭＲ）との同一性について判断する（Ｓ１２０）。具体的に、ＣＰＵ３０は、特定された符号化方式が、ＭＭＲではないかを判断する。特定された符号化方式が、ＭＭＲではなく、ＭＲ又はＭＨである場合、ＣＰＵ３０は、Ｓ１２０の判断を肯定し（Ｓ１２０：Ｙｅｓ）、処理をＳ１２２に移行する。Ｓ１２２で、ＣＰＵ３０は、ＲＡＭ３４に記憶されたＭＭＲ形式の符号化画像データを、特定された符号化方式で符号化した符号化画像データへと再符号化（符号−符号変換）しつつ、ＰＳＴＮ Ｉ／Ｆ２２を制御し、再符号化された、新たな形式の符号化画像データを、相手先装置５０に送信する。例えば、特定された符号化方式が、ＭＲである場合、ＣＰＵ３０は、ＲＡＭ３４に記憶されたＭＭＲ形式の符号化画像データを、復号し、復号された画像データを、ＭＲで符号化し、ＭＲ形式の符号化画像データを、相手先装置５０に送信する。特定された符号化方式が、ＭＭＲである場合、ＣＰＵ３０は、Ｓ１２０の判断を否定し（Ｓ１２０：Ｎｏ）、処理をＳ１２４に移行する。Ｓ１２４で、ＣＰＵ３０は、ＰＳＴＮ Ｉ／Ｆ２２を制御し、ＲＡＭ３４に記憶されているＭＭＲ形式の符号化画像データを、相手先装置５０に送信する。ＣＰＵ３０は、送信に際し、再符号化（符号−符号変換）を行わない。Ｓ１２２及びＳ１２４による送信は、一般ＦＡＸ送信の通信規格による手順に従い行われる。一般ＦＡＸ送信の通信規格は、従来から利用されている通信規格であるため、本実施形態では、この通信規格による手順に関する説明は、省略する。図４のＳ１２２又はＳ１２４を実行した後、ＣＰＵ３０は、ＦＡＸ送信処理を、終了する。
【００３３】
＜第一種モード処理＞
図３のＳ１１０で実行される第一種モード処理について、図５等を参照して説明する。第一種モード処理を開始したＣＰＵ３０は、読取部１６を制御し、ＦＡＸ装置１０にセットされた原稿を読み取り、読取部１６で読み取られた原稿に対応する画像データを、ＭＨで符号化し、ＭＨ形式の符号化画像データを生成する（Ｓ２００）。Ｓ２００について、この他の点は、上述した図４のＳ１１６と同様であるため、説明は省略する。続けて、ＣＰＵ３０は、ネットワークＩ／Ｆ２０を制御し、通信帯域が１０００ｋｂｐｓに設定されたＩＮＶＩＴＥを送信する（Ｓ２０２）。ＩＮＶＩＴＥは、図６（Ａ）に示すような、Ｔ．３８ＦＡＸ通信に関する情報等を含む。図６（Ａ）において、「m=application 9 TCP t38」は、Ｔ．３８ＦＡＸ通信を定義するための記述である。「b=AS:1000」は、通信帯域を１０００ｋｂｐｓに設定するための記述である。「a=T38FaxVersion:1」は、Ｔ．３８ＦＡＸ通信のバージョンを定義するための記述である。「a=T38FaxRateManagement:localTCP」は、使用するプロトコルがＴＣＰであることを定義するための記述である。ＩＮＶＩＴＥは、既に実用化されたＳＤＰに従って記述されたメッセージである。そのため、図６（Ａ）のＩＮＶＩＴＥに関するこの他の説明は、省略する。Ｓ２０２を実行した後、ＣＰＵ３０は、ＳＩＰによる接続が成功したかについて判断する（Ｓ２０４）。ＳＩＰによる接続が失敗した場合（Ｓ２０４：Ｎｏ）、ＣＰＵ３０は、接続フラグとして接続エラーを設定する（Ｓ２０５）。接続フラグは、ＳＩＰによる接続の可否を表すフラグであって、接続エラーは、ＳＩＰによる接続に失敗したことを表す。Ｓ２０５を実行した後、ＣＰＵ３０は、第一種モード処理を終了する。この場合、ＣＰＵ３０は、続けて実行される、図３のＳ１１５の判断を肯定し（図３のＳ１１５：Ｙｅｓ）、処理を図４のＳ１１８に移行し、Ｓ１１８以降の処理を、上述したように実行する。即ち、ＦＡＸ装置１０では、ＮＧＮ網３を介したＴ．３８ＦＡＸ送信が行えない場合、ＰＳＴＮ５を介した一般ＦＡＸ送信が実行される。ＳＩＰによる接続が成功した場合（Ｓ２０４：Ｙｅｓ）、ＣＰＵ３０は、Ｓ２０２でのＩＮＶＩＴＥ送信後、これを受信した相手先装置５０から送信されるＤＩＳを受信する（Ｓ２０６）。ＤＩＳは、上述した通りであり、説明は省略する。
【００３４】
Ｓ２０２〜Ｓ２０６について、より具体的に説明する。Ｓ２０２で、ＣＰＵ３０は、フラッシュＲＯＭ３６からＳＩＰサーバ８０のドメイン名「sipuri.com」を読み出し、読み出したドメイン名と、取得済みダイヤル番号とから、ＳＩＰＵＲＩを生成する。例えば、取得済みダイヤル番号が「234-567-8901」であったとする。この場合、ＣＰＵ３０は、ドメイン名「sipuri.com」と、ダイヤル番号「234-567-8901」とから、ＳＩＰＵＲＩ「2345678901@sipuri.com」を生成する。続けて、ＣＰＵ３０は、ＦＡＸ装置１０の通信設定を、ＳＩＰ通信設定とする。これによって、ＦＡＸ装置１０は、ＳＩＰに従って、ＳＩＰサーバ８０を経由して、取得済みダイヤル番号に対応する相手先装置５０と通信することができる状態となる。ＣＰＵ３０は、ネットワークＩ／Ｆ２０を制御し、生成されたＳＩＰＵＲＩを送信先として、ＩＮＶＩＴＥを送信する。その後、ＣＰＵ３０は、Ｓ２０２で送信されたＩＮＶＩＴＥを受信した相手先装置５０から送信される２００ＯＫが、ネットワークＩ／Ｆ２０で受信されるまで待機する。２００ＯＫは、リクエストとしてのＩＮＶＩＴＥが理解され、受け入れられたことを示す応答コードである。２００ＯＫは、例えば図６（Ｂ）に示すような、ＳＤＰに従った記述を含む。２００ＯＫは、図６（Ａ）の場合と同様、Ｔ．３８ＦＡＸ通信に関する情報を含む。例えば、「m=application 49152 TCP t38」は、Ｔ．３８ＦＡＸ通信の了解を定義するための記述である。「b=AS:1000」は、通信帯域を１０００ｋｂｐｓに設定するための記述である。２００ＯＫメッセージは、既に実用化されたＳＤＰに従って記述された応答コードである。そのため、図６（Ｂ）の２００ＯＫに関するこの他の説明は、省略する。
【００３５】
Ｓ２０４の判断は、２００ＯＫの受信の有無に従ってなされる。即ち、２００ＯＫが受信できない場合、ＣＰＵ３０は、ＳＩＰによる接続は失敗したとして、Ｓ２０４の判断を否定し（Ｓ２０４：Ｎｏ）、処理を図４のＳ１１８に移行する。２００ＯＫが受信できない場合としては、相手先装置５０が、ＮＧＮ網３に接続されていない等が例示される。詳細は省略するが、この場合、２００ＯＫ以外の信号（メッセージ）が受信される。２００ＯＫが受信できた場合、ＣＰＵ３０は、ＳＩＰによる接続は成功したとして、Ｓ２０４の判断を肯定する（Ｓ２０４：Ｙｅｓ）。続けて、ＣＰＵ３０は、生成されたＳＩＰＵＲＩを送信先として、ＳＩＰサーバ８０に、ＡＣＫを送信する。ＡＣＫは、ＩＮＶＩＴＥメッセージに対する応答を受け取ったことを通知するためのメッセージ（メソッド）である。送信されたＡＣＫは、ＳＩＰサーバ８０を経由して、相手先装置５０に送信され、相手先装置５０は、このＡＣＫを受信する。ＡＣＫを送信した後、ＣＰＵ３０は、ＦＡＸ装置１０の通信設定を、Ｔ．３８通信設定とする。これによって、以降の相手先装置５０との通信は、ＳＩＰサーバ８０を経由せず、相手先装置５０と、直接、Ｔ．３８に従って行われる。ＣＰＵ３０は、ネットワークＩ／Ｆ２０を制御し、ＡＣＫの送信に応じて、相手先装置５０から送信されるＤＩＳを受信する（Ｓ２０６）。ＤＩＳが受信された場合、ＣＰＵ３０は、このＤＩＳを解析し、ＤＩＳに含まれる受信機能力情報を取得し、例えば、ＲＡＭ３４に保存する。その後、ＣＰＵ３０は、Ｔ．３８に従った所定の手順を実行し、Ｓ２００で生成され、ＲＡＭ３４に記憶されたＭＨ形式の符号化画像データを、直接、相手先装置５０に送信する（Ｓ２０８）。このとき、ＣＰＵ３０は、ＭＨ形式の符号化画像データを、他の符号化方式の符号化画像データに再符号化しない。Ｓ２０８では、上述したＩＮＶＩＴＥ及び２００ＯＫの送受信によって、ネゴシエーションされた通信帯域（１０００ｋｂｐｓ）が用いられる。
【００３６】
全頁分のＭＨ形式の符号化画像データを送信した後、ＣＰＵ３０は、通信設定を、再度、ＳＩＰ通信設定とする。これによって、以降の相手先装置５０との通信は、ＳＩＰに従って、ＳＩＰサーバ８０を経由して行われる。続けて、ＣＰＵ３０は、ネットワークＩ／Ｆ２０を制御し、ＢＹＥを送信する等して、相手先装置５０（ＳＩＰサーバ８０）との今回の通信を切断する（Ｓ２１０）。ＢＹＥは、ＩＮＶＩＴＥによるコールを終了することを通知するためのメッセージ（メソッド）である。ＣＰＵ３０は、取得済みダイヤル番号と、Ｓ２０６で受信されたＤＩＳに含まれ、ＲＡＭ３４に記憶された受信機能力情報とに基づき、符号化情報テーブル（図２（Ａ）参照）を更新する（Ｓ２１２）。例えば、取得済みダイヤル番号が「234-567-8901」であって、受信機能力情報によって特定された符号化方式が「ＭＲ」であったとする。このような場合、ＣＰＵ３０は、符号化情報テーブルの「234-567-8901」に関連付けて、新たに「ＭＲ」を追加する。取得済みダイヤル番号が符号化情報テーブルに未登録である場合、ＣＰＵ３０は、取得済みダイヤル番号と、受信機能力情報によって特定された符号化方式とを関連付けて、符号化情報テーブルに追加登録する。符号化情報テーブルが、例えば、図２（Ｂ）に示すような形態であった場合、Ｓ２１２は、短縮ダイヤルテーブルを対象として実行される。符号化方式が、ダイヤル番号に関連付けて、既に、登録されているとする。このような状態で、特に、受信機能力情報が、登録済みの符号化方式と異なる場合、登録済みの符号化方式は、今回、新たにＲＡＭ３４に記憶された符号化方式に上書きされる。次に、ＣＰＵ３０は、接続フラグとして接続ＯＫを設定する（Ｓ２１４）。接続ＯＫは、ＳＩＰによる接続に成功したことを表す接続フラグである。Ｓ２１４を実行した後、ＣＰＵ３０は、第一種モード処理を終了する。第一種モード処理を終了したＣＰＵ３０は、図３のＳ１１５を実行する。
【００３７】
＜第二種モード処理＞
図３のＳ１１２で実行される第二種モード処理について、図７等を参照して説明する。第二種モード処理を開始したＣＰＵ３０は、高圧縮符号化処理を実行し（Ｓ３００）、通信帯域設定処理を実行する（Ｓ３０２）。Ｓ３００の高圧縮符号化処理、及び、Ｓ３０２の通信帯域設定処理については、後述する。Ｓ３０２を実行した後、ＣＰＵ３０は、ネットワークＩ／Ｆ２０を制御し、ＩＮＶＩＴＥを送信する（Ｓ３０４）。Ｓ３０４で送信されるＩＮＶＩＴＥは、図６（Ａ）に示すＩＮＶＩＴＥと同様である。ただし、Ｓ３０４で送信されるＩＮＶＩＴＥは、通信帯域に係る設定が、後述する通信帯域設定処理（図９）のＳ５１２でＲＡＭ３４等の所定の領域に記憶された帯域（Ｓ）の値とされる。例えば、図６（Ａ）における「b=AS:1000」との設定は、図９のＳ５１２で、帯域（Ｓ）が、「５１２」ｋｂｐｓとされた場合、「b=AS:512」とされ、「６４」ｋｂｐｓとされた場合、「b=AS:64」とされる。図９のＳ５１２で、帯域（Ｓ）が、「１０００」ｋｂｐｓであれば、図６（Ａ）と同じとされる。Ｓ３０４について、この他の点は、上述した図５のＳ２０２と同様であるため、説明は省略する。Ｓ３０４を実行した後、ＣＰＵ３０は、ＳＩＰによる接続が成功したかについて判断する（Ｓ３０６）。ＳＩＰによる接続が失敗した場合（Ｓ３０６：Ｎｏ）、接続フラグとして接続エラーを設定する（Ｓ３０７）。Ｓ３０７を実行した後、ＣＰＵ３０は、第二種モード処理を終了する。この場合、ＣＰＵ３０は、続けて実行される、図３のＳ１１５の判断を肯定し（図３のＳ１１５：Ｙｅｓ）、処理を図４のＳ１１８に移行し、Ｓ１１８以降の処理を、上述したように実行する。ＳＩＰによる接続が成功した場合（Ｓ３０６：Ｙｅｓ）、ＣＰＵ３０は、Ｓ２０２でのＩＮＶＩＴＥ送信後、これを受信した相手先装置５０から送信されるＤＩＳを受信する（Ｓ３０８）。Ｓ３０６及びＳ３０８は、上述した図５のＳ２０４及びＳ２０６と同様であるため、説明は省略する。Ｓ３０４でのＩＮＶＩＴＥの送信に応じて、これを受信した相手先装置５０から送信される２００ＯＫは、上述したＩＮＶＩＴＥと同様、通信帯域に係る設定が、図６（Ｂ）の「b=AS:1000」から、変更される場合がある。
【００３８】
Ｓ３０８を実行した後、ＣＰＵ３０は、Ｔ．３８に従い、ネットワークＩ／Ｆ２０を制御し、所定の形式の符号化画像データを、相手先装置５０に送信する（Ｓ３１０）。送信される符号化画像データは、Ｓ３０８で受信されたＤＩＳに含まれる受信機能力情報によって特定された符号化方式にて符号化された形式とされる。Ｓ３１０で、ＣＰＵ３０は、ＲＡＭ３４に記憶された相手先装置５０の受信機能力情報に従って、相手先装置５０が、ＭＭＲ形式の符号化画像データを受信できるかについて判断する。相手先装置５０が、ＭＭＲ形式の符号化画像データを受信できない、換言すれば、相手先装置５０がＭＭＲに対応していないと、判断された場合、ＣＰＵ３０は、ＲＡＭ３４に記憶されたＭＭＲ形式の符号化画像データを、Ｓ３０８で受信されたＤＩＳに含まれる受信機能力情報によって特定された符号化方式の符号化画像データに変換する。例えば、特定された符号化方式が、ＭＨであったとする。この場合、ＣＰＵ３０は、ＭＭＲ形式の符号化画像データを復号し、復号された画像データを、ＭＨで符号化し、ＭＨ形式の符号化画像データを生成しつつ、ネットワークＩ／Ｆ２０を制御し、相手先装置５０に送信する。相手先装置５０が、ＭＭＲ形式の符号化画像データを受信できる場合、ＣＰＵ３０は、再符号化のための処理を実行することなく、ネットワークＩ／Ｆ２０を制御し、ＲＡＭ３４に記憶されたＭＭＲ形式の符号化画像データを、相手先装置５０に送信する。Ｓ３１０では、ＩＮＶＩＴＥ及び２００ＯＫの送受信によって、ネゴシエーションされた通信帯域が用いられる。Ｓ３１０で、全頁分の符号化画像データを送信した後、ＣＰＵ３０は、通信設定を、再度、ＳＩＰ通信設定とし、相手先装置５０（ＳＩＰサーバ８０）との今回の通信を切断する（Ｓ３１２）。続けて、ＣＰＵ３０は、取得済みダイヤル番号と、Ｓ３０８で受信されたＤＩＳに含まれ、ＲＡＭ３４に記憶された受信機能力情報とに基づき、符号化情報テーブル（図２（Ａ）参照）を更新する（Ｓ３１４）。Ｓ３１２及びＳ３１４は、それぞれ、図５のＳ２１０及びＳ２１２に対応する処理であり、上記同様にして実行される。これに関する説明は、省略する。次に、ＣＰＵ３０は、接続フラグとして接続ＯＫを設定する（Ｓ３１６）。Ｓ３１６を実行した後、ＣＰＵ３０は、第二種モード処理を終了する。第二種モード処理を終了したＣＰＵ３０は、図３のＳ１１５を実行する。
【００３９】
＜高圧縮符号化処理＞
図７のＳ３００で実行される高圧縮符号化処理について、図８等を参照して説明する。高圧縮符号化処理を開始したＣＰＵ３０は、読取部１６を制御し、ＦＡＸ装置１０にセットされた原稿を読み取る（Ｓ４００）。ＣＰＵ３０は、読取部１６で読み取られた原稿に対応する画像データを、ＲＡＭ３４上に確保された読取バッファ領域に記憶する（Ｓ４０２）。ＣＰＵ３０は、計時部２４を制御し、計時部２４による時間経過の計測を開始する（Ｓ４０４）。続けて、ＣＰＵ３０は、符号化画像データのデータ容量をカウントするための符号化画像データ容量の値を「０」に初期化する（Ｓ４０６）。その後、ＣＰＵ３０は、ＲＡＭ３４上の読取バッファ領域に記憶された画像データのうち、１頁分の原稿に対応した画像データを、ＭＭＲで符号化し、ＭＭＲ形式の符号化画像データを生成し、ＭＭＲ形式の符号化画像データを、ＲＡＭ３４上の送信用メモリ領域に記憶する（Ｓ４０８）。ＣＰＵ３０は、Ｓ４０８で生成されたＭＭＲ形式の符号化画像データのデータ容量を、符号化画像データ容量に加算し、新たな値に更新する（Ｓ４１０）。例えば、Ｓ４０８で新たに生成された符号化画像データのデータ容量が、１０ｋＢであったとする。高圧縮符号化処理が開始された後、Ｓ４０８が初めて実行される場合であれば、符号化画像データのデータ容量は、「０」であるから（Ｓ４０６参照）、今回のＳ４１０によって、符号化画像データ容量は、「１０」に更新される。既に、Ｓ４１２の判断が否定（Ｓ４１２：Ｎｏ）され、且つ、Ｓ４０８及びＳ４１０が実行されており、その結果、符号化画像データ容量が「５０」であったとする。この場合、「５０」に、今回のＳ４０８による１０ｋＢが加算され、符号化画像データ容量は、「６０」に更新される。
【００４０】
Ｓ４１０を実行した後、ＣＰＵ３０は、読み取られた原稿に対応する全頁分の画像データに対して、Ｓ４０８による符号化が完了したかについて判断する（Ｓ４１２）。ＲＡＭ３４上の読取バッファ領域に画像データが記憶され、全頁分の符号化が完了していない場合（Ｓ４１２：Ｎｏ）、ＣＰＵ３０は、処理をＳ４０８に戻し、Ｓ４０８及びＳ４１０を、繰り返して実行する。全頁分の符号化が完了した場合（Ｓ４１２：Ｙｅｓ）、ＣＰＵ３０は、計時部２４での計測をストップさせる（Ｓ４１４）。その後、ＣＰＵ３０は、計時部２４で計測された時間を、第一時間として、ＲＡＭ３４又はフラッシュＲＯＭ３６の所定の領域に記憶（保存）する（Ｓ４１６）。第一時間は、上述した通りであり、全頁分の画像データをＭＭＲで符号化し、ＭＭＲ形式の符号化画像データを生成するのに要する時間である。Ｓ４１６を実行した後、ＣＰＵ３０は、高圧縮符号化処理を終了する。高圧縮符号化処理を終了したＣＰＵ３０は、通信帯域設定処理（図７のＳ３０２参照）を実行する。なお、Ｓ４００、Ｓ４０２、Ｓ４０８及びＳ４１２は、図４のＳ１１６、図５のＳ２００、及び、後述する図１０のＳ６００に対応する処理である。
【００４１】
＜通信帯域設定処理＞
図７のＳ３０２で実行される通信帯域設定処理について、図９等を参照して説明する。通信帯域設定処理を開始したＣＰＵ３０は、第二時間を取得する（Ｓ５００）。Ｓ５００について、具体的に説明する。ＣＰＵ３０は、図８のＳ４１６で、ＲＡＭ３４等に記憶された第一時間を特定する。続けて、ＣＰＵ３０は、フラッシュＲＯＭ３６に記憶された、図２（Ｃ）に示す対応時間情報テーブルにアクセスし、特定された第一時間に関連付けられた、詳細には、特定された第一時間を含む第一時間の範囲に関連付けられた、第一種の第二時間又は第二種の第二時間の何れか一方を、取得する。第一種の第二時間又は第二種の第二時間の何れか一方の取得に際し、ＣＰＵ３０は、何れか長い時間を取得する。続けて、ＣＰＵ３０は、基準通信速度を取得する（Ｓ５０２）。基準通信速度は、次のようにして取得される。ＣＰＵ３０は、図８のＳ４１０でカウントした、全頁分の符号化画像データのデータ容量を、符号化画像データ容量に従い特定する。続けて、ＣＰＵ３０は、特定された全頁分の符号化画像データのデータ容量を、Ｓ５００で取得された第二時間で除して、基準通信速度を算出する。
【００４２】
Ｓ５０２を実行した後、ＣＰＵ３０は、通信帯域識別子のための変数Ｉを、「０」に初期化する（Ｓ５０４）。変数Ｉは、図２（Ｄ）に示す通信帯域テーブルの通信帯域識別子に対応する。ＣＰＵ３０は、変数Ｉの値に一致する通信識別子に関連付けられた通信帯域を、帯域（Ｓ）に設定する（Ｓ５０６）。通信帯域設定処理が開始された後、Ｓ５０６が初めて実行される場合であれば、変数Ｉは、「０」であるから、帯域（Ｓ）は、「１０００」ｋｂｐｓに設定される。既に、Ｓ５１０が実行されている場合、変数Ｉは、カウントアップされているため、対応した通信帯域が、設定される。例えば、Ｓ５１０が既に２回実行され、変数Ｉが「２」であれば、帯域（Ｓ）は、「６４」に設定される。その後、ＣＰＵ３０は、Ｓ５０２で取得した基準通信速度が、Ｓ５０６で設定した帯域（Ｓ）以上であるかについて判断する（Ｓ５０８）。基準通信速度が、帯域（Ｓ）より小さく、帯域（Ｓ）以上ではない場合（Ｓ５０８：Ｎｏ）、ＣＰＵ３０は、変数Ｉを、「１」増加させ（Ｓ５１０）、処理をＳ５０６に戻し、Ｓ５０６及びＳ５０８を、繰り返して実行する。基準通信速度が、帯域（Ｓ）以上である場合（Ｓ５０８：Ｙｅｓ）、ＣＰＵ３０は、その時点における帯域（Ｓ）を、ＩＮＶＩＴＥに含める通信帯域として、ＲＡＭ３４又はフラッシュＲＯＭ３６の所定の領域に記憶する（Ｓ５１２）。Ｓ５１２を実行した後、ＣＰＵ３０は、通信帯域設定処理を終了する。通信帯域設定処理を終了したＣＰＵ３０は、図７のＳ３０４を実行する。Ｓ５０８の判断に関し、「基準通信速度＞帯域（Ｓ）」としてもよい。
【００４３】
＜相手先対応処理＞
図３のＳ１１４で実行される相手先対応処理について、図１０等を参照して説明する。相手先対応処理を開始したＣＰＵ３０は、読取部１６を制御し、ＦＡＸ装置１０にセットされた原稿を読み取る（Ｓ６００）。Ｓ６００で、ＣＰＵ３０は、符号化情報テーブル（図２（Ａ）参照）において、取得済みダイヤル番号に関連付けられた符号化方式を特定し、読取部１６で読み取られた原稿に対応する画像データを、特定された符号化方式で符号化し、特定された符号化形式の符号化画像データを生成する。例えば、取得済みダイヤル番号が「123-456-7890」であった場合、図２（Ａ）では、これに一致するダイヤル番号に、符号化方式「ＭＲ」が関連付けられている。そこで、Ｓ６００で、ＣＰＵ３０は、ＭＲ形式の符号化画像データを生成する。符号化情報テーブルが、例えば、図２（Ｂ）に示すような形態であった場合、Ｓ６００は、短縮ダイヤルテーブルを対象として実行される（Ｓ６０８、Ｓ６１６及びＳ６１８において同じ）。Ｓ６００について、この他の点は、上述した図４のＳ１１６と同様であるため、説明は省略する。続けて、ＣＰＵ３０は、Ｓ６０２〜Ｓ６０６を、順次、実行する。Ｓ６０２〜Ｓ６０６は、上述した図５のＳ２０２〜Ｓ２０６と、同様の処理であり、上記同様にして実行される。これに関する説明は、省略する。なお、Ｓ６００では、相手先装置５０が受信できる符号化方式として、符号化情報テーブルに登録された符号化方式による符号化が実行される。従って、相手先装置５０は、この符号化方式による符号化画像データを受信できる可能性が高く、再符号化は不要であると考えられる。そのため、Ｓ６０２で送信されるＩＮＶＩＴＥに設定される通信帯域は、最も高速である帯域（１０００ｋｂｐｓ）にすることとしている。Ｓ６０４の判断が否定された場合（Ｓ６０４：Ｎｏ）についても、図５のＳ２０４の判断が否定された場合（Ｓ２０４：Ｎｏ）と同様、Ｓ６０５で、ＣＰＵ３０は、接続フラグとして接続エラーを設定し、相手先対応処理を終了し、図３のＳ１１５の判断を肯定し（図３のＳ１１５：Ｙｅｓ）、図４のＳ１１８以降の処理を、上述したように実行する。
【００４４】
Ｓ６０６を実行した後、ＣＰＵ３０は、Ｓ６０６で受信されたＤＩＳに含まれ、ＲＡＭ３４に記憶された受信機能力情報によって特定された符号化方式が、符号化情報テーブルで、取得済みダイヤル番号に関連付けられた符号化方式より、低圧縮率であるかについて判断する（Ｓ６０８）。受信機能力情報によって特定された符号化方式が、関連付けられた符号化方式より、低圧縮率ではない場合（Ｓ６０８：Ｎｏ）、ＣＰＵ３０は、処理をＳ６１０に移行する。Ｓ６１０でＣＰＵ３０は、Ｔ．３８に従い、ネットワークＩ／Ｆ２０を制御し、ＲＡＭ３４に記憶された符号化画像データを、直接、相手先装置５０に送信する（Ｓ６１０）。このとき、ＣＰＵ３０は、再符号化を実行しない。Ｓ６１０では、上述したＩＮＶＩＴＥ及び２００ＯＫの送受信によって、ネゴシエーションされた通信帯域（１０００ｋｂｐｓ）が用いられる（後述するＳ６１２についても同じ）。受信機能力情報によって特定された符号化方式が、関連付けられた符号化方式より、低圧縮率である場合（Ｓ６０８：Ｙｅｓ）、ＣＰＵ３０は、処理をＳ６１２に移行する。Ｓ６１２で、ＣＰＵ３０は、Ｔ．３８に従い、ネットワークＩ／Ｆ２０を制御し、受信機能力情報によって特定された符号化方式の符号化画像データに再符号化された符号化画像データを、直接、相手先装置５０に送信する。再符号化は、ＲＡＭ３４に記憶された符号化画像データを、復号し、復号された画像データを、受信機能力情報によって特定された符号化方式で符号化して行われる。
【００４５】
Ｓ６１０又はＳ６１２で、全頁分の符号化画像データを送信した後、ＣＰＵ３０は、通信設定を、再度、ＳＩＰ通信設定とし、相手先装置５０（ＳＩＰサーバ８０）との今回の通信を切断する（Ｓ６１４）。この点については、図５のＳ２１０等と同様であるため、説明は省略する。続けて、ＣＰＵ３０は、受信機能力情報によって特定された符号化方式が、符号化情報テーブルで、取得済みダイヤル番号に関連付けられた符号化方式と異なっているかについて判断する（Ｓ６１６）。両符号化方式が異なっている場合（Ｓ６１６：Ｙｅｓ）、ＣＰＵ３０は、取得済みダイヤル番号と、Ｓ６０６で受信されたＤＩＳに含まれ、ＲＡＭ３４に記憶された受信機能力情報とに基づき、符号化情報テーブルを更新する（Ｓ６１８）。Ｓ６１８は、図５のＳ２１２と同様の処理であり、上記同様にして実行される。これに関する説明は、省略する。両符号化方式が同一である場合（Ｓ６１６：Ｎｏ）、又は、Ｓ６１８を実行した後、ＣＰＵ３０は、接続フラグとして接続ＯＫに設定し（Ｓ６２０）、相手先対応処理を終了する。相手先対応処理を終了したＣＰＵ３０は、図３のＳ１１５を実行する。
【００４６】
＜本実施形態による効果＞
（１）上記では、図５に示す第一種モード処理で、ＭＨ形式の符号化画像データを生成し（図５のＳ２００参照）、且つ、通信帯域を１０００ｋｂｐｓに設定（図５のＳ２０２）することとした。従って、相手先装置５０が受信できるＭＨ形式の符号化画像データを、１０００ｋｂｐｓといった高速で送信することができる。即ち、再符号化による通信時間の増加を抑制しつつ、Ｔ．３８ＦＡＸ送信の通信時間を短縮することができる。
【００４７】
（２）上記では、図９に示す通信帯域処理で、基準通信速度は、再符号化に、より長い時間を要する符号化方式に従い求められる（図９のＳ５００、Ｓ５０２参照）。従って、図７に示す第二種モード処理のＳ３０４では、通信帯域が、基準通信速度以下（未満）である、帯域が設定されたＩＮＶＩＴＥが送信される。そのため、Ｓ３１０で再符号化が実行されたとしても、再符号化が間に合わず、送信する符号化画像データがなくなるといった事態の発生を防止することができる。Ｔ．３８ＦＡＸ送信のために設定された通信帯域を、有効に利用することができる。再符号化待ちの状態では、高速な通信帯域が設定されたとしても、送信する符号化画像データがなく、結果的に、通信時間が、低速な通信帯域の場合と同等となってしまう。通信帯域が高速になれば、課金額が高額になるような場合、課金額を抑制することが可能となる。
【００４８】
（３）上記では、図１０に示す相手先対応処理で、Ｓ６０８の処理を採用することとした。取得済みダイヤル番号に対応する相手先装置５０が、符号化情報テーブルにおける関連付けがなされた時点から、別のＦＡＸ装置に交換される場合がある。交換された新たなＦＡＸ装置が、交換前のＦＡＸ装置と比較し、高圧縮率の符号化方式の符号化画像データを受信できる場合は、新たなＦＡＸ装置は、符号化情報テーブルにおいて関連付けがなされた符号化方式の符号化画像データを受信することができる。即ち、ＭＭＲに対応したＦＡＸ装置は、ＭＲ及びＭＨにも対応できる。ＭＲに対応したＦＡＸ装置は、ＭＨにも対応できる。しかし、交換された新たなＦＡＸ装置が、交換前のＦＡＸ装置と比較し、低圧縮率の符号化方式の符号化画像データしか受信できない場合、新たなＦＡＸ装置は、符号化情報テーブルにおいて関連付けがなされた符号化方式の符号化画像データを受信することができない。このような場合、Ｓ６００で生成された符号化画像データを、そのまま、送信すると、相手先装置５０では、符号化画像データを受信することができない。従って、相手先対応処理では、Ｓ６０８を採用し、取得済みダイヤル番号に対応する相手先装置５０に送信されることとなる符号化画像データを、そのまま送信するか（図１０のＳ６１０）、再符号化した後に送信するか（図１０のＳ６１２参照）を、判断することとした。そのため、相手先装置５０が、例えば、符号化情報テーブルに符号化方式が登録された時点から、異なるＦＡＸ装置に変更された場合であっても、受信可能な符号化画像データを、好適に送信することができる。Ｓ６０８において判断の条件を、「低圧縮率」としているのは、高圧縮率の符号化方式の符号化画像データが受信できる場合、それより低圧縮率の符号化方式の符号化画像データは、受信できることに基づくものである。
【００４９】
＜変形例＞
（１）上記では、図４に示すＦＡＸ送信処理のＳ１１６で、ＭＭＲで符号化し、ＭＭＲ形式の符号化画像データを生成することとした。この他、Ｓ１１６での符号化方式は、ＭＲ又はＭＨとしてもよい。Ｓ１１６での符号化方式を、ＭＲ又はＭＨとした場合、図４のＳ１２０は、ＭＲ又はＭＨに基づき、判断される。Ｓ１１６での符号化方式がＭＲである場合、図４のＳ１２２では、ＭＲ形式の符号化画像データが、ＤＩＳに含まれる受信機能力情報によって特定された符号化方式に従い、ＭＭＲ又はＭＨ形式の符号化画像データに再符号化され、上記同様、相手先装置５０に送信される。Ｓ１１６での符号化方式がＭＨである場合、図４のＳ１２２では、ＭＨ形式の符号化画像データが、ＤＩＳに含まれる受信機能力情報によって特定された符号化方式に従い、ＭＭＲ又はＭＲ形式の符号化画像データに再符号化され、上記同様、相手先装置５０に送信される。
【００５０】
（２）上記では、ＦＡＸ装置１０が、第一種モード処理（図５参照）、第二種モード処理（図７等参照）及び相手先対応処理（図１０参照）を、実行する構成とした。この他、これら各処理の少なくとも１つ、例えば、第一種モード処理を実行せず、第二種モード処理を実行するＦＡＸ装置としてもよい。この場合、相手先対応処理の実行の可否については、諸条件の下、決定される。第一種モード処理が実行されない場合、上述した動作モード（第一種のモード、第二種のモード）に関する設定は、省略される。
【符号の説明】
【００５１】
３  次世代ネットワーク網（ＮＧＮ網）、  ５  公衆電話交換回線網（ＰＳＴＮ）
１０  ファクシミリ装置、  １２  表示部、  １４  操作部、  １６  読取部
１８  印刷部、  ２０  ネットワークインターフェース（ネットワークＩ／Ｆ）
２２  ＰＳＴＮインターフェース（ＰＳＴＮ Ｉ／Ｆ）、  ２４  計時部
２６  バスライン、  ３０  ＣＰＵ、  ３２  プログラムＲＯＭ、  ３４  ＲＡＭ
３６  フラッシュＲＯＭ
５０  ファクシミリ装置（相手先装置）、  ８０  ＳＩＰサーバ、  ９０  交換機
【図１】
0005879797.tif 000002
【図２】
0005879797.tif 000003
【図３】
0005879797.tif 000004
【図４】
0005879797.tif 000005
【図５】
0005879797.tif 000006
【図６】
0005879797.tif 000007
【図７】
0005879797.tif 000008
【図８】
0005879797.tif 000009
【図９】
0005879797.tif 000010
【図１０】
0005879797.tif 000011